(57)【特許請求の範囲】
【請求項１】
ペダル本体と、
ペダルケースに固定される固定部と、前記ペダル本体が取り付けられるペダル取付部と、前記ペダル取付部を前記固定部に上下方向に回転可能に連結する屈曲部とを備え、当該固定部、ペダル取付部及び屈曲部が一体に形成されるとともに、前記屈曲部の一端が前記固定部に連結形成され、前記屈曲部の他端が前記ペダル取付部に連結形成されることにより、前記ペダル本体を前記ペダルケースに上下方向に回転可能に取り付ける取付部材と、を有し、
前記ペダルケース上の前記ペダル取付部に対応する位置にはスイッチ部が設けられており、前記ペダル取付部には、前記スイッチ部をスイッチ動作させるためのスイッチ押圧部が一体に形成されていることを特徴とするペダル装置。
【請求項２】
請求項１に記載のペダル装置において、前記固定部は、前記ペダルケースに設けられた固定ボス部に嵌合して固定される嵌合固定部と、前記ペダルケースに設けられた本体規制部に位置決めされる位置決め固定部とを備えていることを特徴とするペダル装置。
【請求項３】
請求項１または請求項２に記載のペダル装置において、前記ペダル取付部は、前記ペダル本体に設けられたペダル規制部に位置規制されて取り付けられる位置決め取付部を備えていることを特徴とするペダル装置。
【請求項４】
鍵本体と、
楽器本体に固定される固定部と、前記鍵本体が取り付けられる鍵取付部と、前記鍵取付部を前記固定部に上下方向に回転可能に連結する屈曲部とを備え、当該固定部、鍵取付部及び屈曲部が一体に形成されるとともに、前記屈曲部の一端が前記固定部に連結形成され、前記屈曲部の他端が前記鍵取付部に連結形成されていることにより、前記鍵本体を前記楽器本体に上下方向に回転可能に取り付ける取付部材と、を有し、
前記楽器本体の前記鍵取付部に対応する位置にはスイッチ部が設けられており、前記鍵取付部には、前記スイッチ部をスイッチ動作させるためのスイッチ押圧部が一体に形成されていることを特徴とする鍵盤楽器。
【請求項５】
請求項４に記載の鍵盤楽器において、前記鍵本体は、前記楽器本体に対して並列に配列されており、前記固定部は、前記鍵本体の配列方向に沿って連続して形成され、且つ前記楽器本体に対して並列に配列された複数の前記鍵本体にそれぞれ対応する複数の前記鍵取付部がそれぞれ前記屈曲部を介して一体に形成されていることを特徴とする鍵盤楽器。
【発明の詳細な説明】
【技術分野】
【０００１】
この発明は、鍵盤楽器などの楽器に用いられるペダル装置、および鍵盤楽器に関する。
【背景技術】
【０００２】
例えば、鍵盤楽器のペダル装置においては、特許文献１に記載されているように、装置本体に設けられた支持部にペダル本体の後端部を支持軸によって上下方向に回転可能に取り付けると共に、装置本体上にばね部材を設け、このばね部材のばね力によってペダル本体を弾力的に押し上げ、この状態でペダル本体をばね部材のばね力に抗して踏み込むことにより、ペダル本体のスイッチ押圧部が装置本体上のスイッチ部をスイッチ動作させるように構成されたものが知られている。
【先行技術文献】
【特許文献】
【０００３】
【特許文献１】特開２００８−４６２８６号公報
【０００４】
この種のペダル装置では、装置本体の支持部にペダル本体の後端部を支持軸によって取り付ける際に、予め、装置本体にばね部材およびスイッチ部を取り付けると共に、ペダル本体にスイッチ押圧部を設け、このスイッチ押圧部を装置本体のスイッチ部に対応させて、ペダル本体をばね部材上に配置し、この状態で装置本体の支持部にペダル本体の後端部を支持軸によって上下方向に回転可能に取り付けている。
【発明の概要】
【発明が解決しようとする課題】
【０００５】
しかしながら、このようなペダル装置において、装置本体の支持部にペダル本体を支持軸によって取り付けるためには、装置本体の支持部に設けられた取付孔とペダル本体に設けられた取付孔とを対応させ、この状態で両方の各取付孔に支持軸をペダル本体側から挿入させる必要があるほか、挿入した支持軸の両端部に抜け止めリングを取り付ける必要があるため、組立手順に制約が生じ、装置本体に対するペダル本体の取付作業が煩雑になり、面倒であるという問題がある。
【０００６】
この場合、装置本体の支持部に設けられた取付孔とペダル本体に設けられた取付孔とに支持軸を挿入させるためには、両方の各取付孔を支持軸の外形よりも少し大きく形成してクリアランスを設けなければ、支持軸を両方の各取付孔に円滑に挿入させることができない。このため、装置本体にペダル本体を取り付けた際に、クリアランスによってガタツキが生じ、ペダル本体を円滑に且つ良好に回転動作させることができないという不都合がある。
【０００７】
この発明が解決しようとする課題は、ペダルケースに対するペダル本体や楽器本体に対する鍵本体の組立作業性が良く、ペダルケースに対するペダル本体や楽器本体に対する鍵本体を円滑に且つ良好に回転動作させることができるペダル装置および鍵盤楽器を提供することである。
【課題を解決するための手段】
【０００８】
この発明は、ペダル本体と、ペダルケースに固定される固定部と、前記ペダル本体が取り付けられるペダル取付部と、このペダル取付部を前記固定部に上下方向に回転可能に連結する屈曲部とを備え、当該固定部、ペダル取付部及び屈曲部が一体に形成されるとともに、前記屈曲部の一端が前記固定部に連結形成され、前記屈曲部の他端が前記ペダル取付部に連結形成されることにより、前記ペダル本体を前記ペダルケースに上下方向に回転可能に取り付ける取付部材と、を有し、前記ペダルケース上の前記ペダル取付部に対応する位置にはスイッチ部が設けられており、前記ペダル取付部には、前記スイッチ部をスイッチ動作させるためのスイッチ押圧部が一体に形成されていることを特徴とするペダル装置である。
また、この発明は、鍵本体と、楽器本体に固定される固定部と、前記鍵本体が取り付けられる鍵取付部と、この鍵取付部を前記固定部に上下方向に回転可能に連結する屈曲部とを備え、当該固定部、鍵取付部及び屈曲部が一体に形成されるとともに、前記屈曲部は、の一端が前記固定部に連結形成され、前記屈曲部の他端が前記鍵取付部に連結形成されていることにより、前記鍵本体を前記楽器本体に上下方向に回転可能に取り付ける取付部材と、を有し、前記楽器本体の前記鍵取付部に対応する位置にはスイッチ部が設けられており、前記鍵取付部には、前記スイッチ部をスイッチ動作させるためのスイッチ押圧部が一体に形成されていることを特徴とする鍵盤楽器である。
【発明の効果】
【０００９】
この発明によれば、ペダルケースにペダル本体を取付部材によって取り付ける際に、その組み立て手順が制約を受けずに、ペダルケースにペダル本体を容易に取り付けることができると共に、取付部材の屈曲部によってペダル本体をペダルケースにガタツクことなく良好に回転可能な状態で取り付けることができる。このため、ペダルケースに対するペダル本体の組立作業性が良く、ペダルケースに対してペダル本体を円滑に且つ良好に回転動作させることができる。
【図面の簡単な説明】
【００１０】
【図１】この発明をペダル装置に適用した実施形態１を示した平面図である。
【図２】図１に示されたペダル装置のＡ−Ａ矢視における拡大断面図である。
【図３】図２に示されたペダル装置を分解して示した各部の拡大断面図である。
【図４】図２に示されたペダル装置において、１つのペダル本体およびその取付部材を示した拡大平面図である。
【図５】図４に示されたペダル装置のＢ−Ｂ矢視において、その要部を分解して示した拡大断面図である。
【図６】図１に示されたペダル装置の変形例を示した平面図である。
【図７】この発明を電子鍵盤楽器に適用した実施形態２を示した平面図である。
【図８】図７に示された電子鍵盤楽器のＣ−Ｃ矢視における拡大断面図である。
【図９】図８に示された鍵盤部を分解して示した各部の拡大断面図である。
【図１０】図８に示された鍵盤部における要部を示した拡大平面図である。
【図１１】図１０に示された鍵盤部のＤ−Ｄ矢視における要部の拡大断面図である。
【発明を実施するための形態】
【００１１】
（実施形態１）
以下、図１〜図５を参照して、この発明をペダル装置に適用した実施形態１について説明する。
このペダル装置は、図１および図２に示すように、ペダルケース１に複数のペダル本体２を取付部材３によってそれぞれ上下方向に回転可能に取り付けるように構成されている。
【００１２】
ペダルケース１は、図１および図２に示すように、本体ケース４とカバーケース５とを備え、ペダル本体２の配列方向に細長く形成されている。本体ケース４は、その上部に複数のペダル本体２が並列に配列されるように構成されている。カバーケース５は、複数のペダル本体２の後部側（図２では左側部）を覆った状態で、本体ケース４上に取り付けられるように構成されている。
【００１３】
この場合、本体ケース４の後端部（図２では左端部）には、図１〜図３に示すように、ペダル支持部６が上方に突出した状態で、ペダル本体２の配列方向に沿って連続して設けられている。このペダル支持部６の前方（図２では右側）に位置する本体ケース４のほぼ中間部には、図２および図３に示すように、コイルばねなどのばね部材７を支持するばね支持部８が、ペダル支持部６よりも少し低い高さで設けられている。
【００１４】
また、この本体ケース４の前端部（図２では右端部）には、図１〜図３に示すように、ペダル本体２の下限位置を規制する下限ストッパ９を支持するストッパ支持部１０が、ばね支持部８とほぼ同じ高さで設けられている。この場合、ストッパ支持部１０の上面は、後部（図３では左側部）から前部（図３では右側部）に向けて次第に低くなる傾斜面１０ａに形成されている。
【００１５】
さらに、ペダル支持部６とばね支持部８との間には、図２および図３に示すように、ペダルスイッチ部１１が配置されている。このペダルスイッチ部１１は、ペダル本体２の配列方向に沿って連続するスイッチ基板１１ａと、このスイッチ基板１１ａ上に設けられてペダル本体２にそれぞれ対応するドーム状のゴム部材１１ｂとを備えている。
【００１６】
スイッチ基板１１ａは、図２および図３に示すように、支持部材１２によって本体ケース４のペダル支持部６とばね支持部８との間に位置した状態で、本体ケース４上に設けられている。ドーム状のゴム部材１１ｂは、上方から押された際に、潰れるように弾性変形し、その内部に設けられた可動接点（図示せず）がスイッチ基板１１ａ上に設けられた固定接点（図示せず）に接離可能に接触してスイッチ信号を出力するように構成されている。
【００１７】
一方、ペダル本体２は、図１〜図４に示すように、その前端部（図４では右端部）がほぼ円形状に広く、後端部（図４では左端部）が狭いほぼ杓形状に形成された上面部２ａと、この上面部２ａの周囲にその後端部を除いて形成された側面部２ｂとを備えている。このペダル本体２の後部（図２では左端部）に位置する上面部２ａには、ペダル規制部１３とばね規制部１４とが設けられている。
【００１８】
ペダル規制部１３は、図２および図３に示すように、ペダル本体２の配列方向、つまりペダル本体２の長手方向と直交する方向に沿って設けられた一対の取付孔１５である。この一対の取付孔１５は、ペダル本体２の後部（図２では左端部）の上面部２ａに、その上下に貫通して設けられている。また、この一対の取付孔１５は、本体ケース４上に配置されたペダルスイッチ部１１の前部側（図２では右側部）に対応して設けられている。
【００１９】
ばね規制部１４は、図２および図３に示すように、本体ケース４のばね支持部８上に配置されたばね部材７の上部をペダル本体２に対して位置規制するためのものである。すなわち、このばね規制部１４が、ばね部材７の上部内に挿入する挿入部１４ａと、ばね部材７の上端部が当接する当接部１４ｂとを備え、これらがペダル本体２の上面部２ａの下面に設けられている。
【００２０】
ところで、取付部材３は、図２および図３に示すように、ペダルケース１の本体ケース４に固定される固定部１７と、ペダル本体２が取り付けられるペダル取付部１８と、このペダル取付部１８を固定部１７に上下方向に回転可能に連結する屈曲部１９とを備え、これらが一体に形成されている。
【００２１】
固定部１７は、図２〜図５に示すように、本体ケース４のペダル支持部６に設けられた固定ボス部２０に嵌合して固定される嵌合固定部２１と、本体ケース４のペダル支持部６上に設けられた複数の本体規制部２２にそれぞれ位置決めされる複数の位置決め固定部２３とを備えている。
【００２２】
この場合、本体ケース４の固定ボス部２０は、図２〜図４に示すように、本体ケース４のペダル支持部６上に円筒状に起立して形成され、その中心部にねじ孔２０ａが上方に開放されて設けられている。また、本体ケース４の複数の本体規制部２２は、それぞれピン形状に形成され、固定ボス部２０の周囲の近傍に位置する箇所のペダル支持部６上にそれぞれ起立して設けられている。
【００２３】
取付部材３における固定部１７の嵌合固定部２１は、図２〜図４に示すように、本体ケース４の固定ボス部２０よりも大径の円筒状に形成され、その上端部に固定ボス部２０のねじ孔２０ａが対応するビス挿入孔２１ａが形成された構成になっている。この場合、嵌合固定部２１は、その内面の高さが固定ボス部２０とほぼ同じ高さに形成され、固定ボス部２０の上端部がビス挿入孔２１ａに対応した状態で、嵌合固定部２１の上部の内端面に固定ボス部２０の上端面が当接するように構成されている。
【００２４】
これにより、取付部材３における固定部１７の嵌合固定部２１は、図２および図３に示すように、固定ボス部２０の上端部がビス挿入孔２１ａに対応した状態で、その上方からビス２４を固定ボス部２０のねじ孔２０ａに螺入させて締め付けると、ビス２４の頭部２４ａが嵌合固定部２１を固定ボス部２０上に押え付けることにより、固定部１７を本体ケース４のペダル支持部６上に固定するように構成されている。
【００２５】
また、取付部材３における固定部１７の複数の位置決め固定部２３は、図４および図５に示すように、嵌合固定部２１の周囲に位置する箇所の固定部１７にそれぞれ設けられた複数の孔部であり、本体ケース４のペダル支持部６上に設けられた複数の本体規制部２２が下側からそれぞれ嵌合することにより、固定部１７を本体ケース４のペダル支持部６上に位置決めして固定するように構成されている。
【００２６】
取付部材３のペダル取付部１８は、図２〜図４に示すように、ペダル本体２に設けられたペダル規制部１３に位置規制されて取り付けられる位置決め取付部２５を備えている。この位置決め取付部２５は、ペダル本体２の配列方向、つまりペダル本体２の前後方向（長手方向）と直交する方向に沿って設けられた一対の取付ボス部２６であり、ペダル本体２の後部（図２では左側部）に設けられたペダル規制部１３である一対の取付孔１５内にそれぞれ下側から挿入するように構成されている。
【００２７】
すなわち、この一対の取付ボス部２６は、図２および図３に示すように、ペダル取付部１８の前部（図２では右側部）にそれぞれ形成された円筒部であり、ペダル取付部１８の下面と上面とにそれぞれ連続した状態で上下に突出して形成され、上面側に突出した上部が一対の取付孔１５内にそれぞれ挿入するように構成されている。
【００２８】
この場合、一対の取付ボス部２６におけるペダル取付部１８の上面から突出した各上部は、図２および図３に示すように、ペダル本体２の後端部に設けられたペダル規制部１３である一対の取付孔１５内に挿入する部分であり、その高さがペダル本体２の取付孔１５の深さ、つまりペダル本体２の上面部２ａの厚みと同じに形成されている。
【００２９】
また、この一対の取付ボス部２６には、図３に示すように、ねじ孔２６ａがそれぞれ上下に貫通して設けられている。これにより、一対の取付ボス部２６は、図２〜図３に示すように、上面から突出した上部がペダル本体２の取付孔１５内にそれぞれ下側から挿入した状態で、その上方からねじ孔２６ａにビス２４を螺入させて締め付けると、ビス２４の頭部２４ａがペダル本体２の取付孔１５の縁部をペダル取付部１８上に押え付けることにより、ペダル本体２が取付部材３のペダル取付部１８に固定されるように構成されている。
【００３０】
また、取付部材３のペダル取付部１８には、図２および図３に示すように、本体ケース４に設けられたペダルスイッチ部１１をスイッチ動作させるためのスイッチ押圧部２７が一体に形成されている。このスイッチ押圧部２７は、ペダル取付部１８の下面に一対の取付ボス部２６と共に十字形状に形成されている。このスイッチ押圧部２７の下面は、少し前上がりに傾斜して形成されている。
【００３１】
これにより、スイッチ押圧部２７は、図２および図３に示すように、ペダル本体２が上方から押圧された際に、スイッチ押圧部２７の下面が、本体ケース４上に設けられたペダルスイッチ部１１のゴム部材１１ｂの上面に、ほぼ平行な状態で当接して、ドーム状のゴム部材１１ｂを潰れるように弾性変形させる構成になっている。
【００３２】
一方、取付部材３の固定部１７とペダル取付部１８とを連結する屈曲部１９は、図２および図３に示すように、肉厚が薄く形成されていることにより、屈曲する構成になっている。すなわち、この屈曲部１９は、取付部材３の固定部１７の前端部（図３では右端部）から前方の下部側に向けて湾曲し、この湾曲した先端部が上方に向けてほぼ垂直に延び、この垂直に延びた上端部が前側に向けて湾曲してペダル取付部１８の後端部（図３では右端部）に連結された構成になっている。このため、取付部材３は、その固定部１７の下面とペダル取付部１８のスイッチ押圧部２７の下面とがほぼ同じ高さに形成されている。
【００３３】
これにより、屈曲部１９は、ペダル本体２の前部が上方から押された際に、上下方向にほとんど変位することがなく、ほぼ垂直に延びた部分が前側に向けて傾くように屈曲変形し、ペダル取付部１８を前下がりに傾け、これに伴ってペダル本体２を前下がりに傾けるように構成されている。すなわち、この屈曲部１９は、そのほぼ垂直な部分の下部が固定部１７に連結され、且つその上部がペダル取付部１８に連結されていることにより、ほぼ垂直な部分が上下方向にほとんど変位せず、前後方向（図２では左右方向）に向けて傾くように変位する構成になっている。
【００３４】
なお、カバーケース５の前端部には、図２に示すように、カバーケース５がペダル本体２の後部および取付部材３を覆って本体ケース４に取り付けられた際に、ペダル本体２の後部側の上面部２ａに当接してペダル本体２をほぼ水平に位置規制するための上限ストッパ部５ａが設けられている。この上限ストッパ部５ａは、ペダル本体２の後部に設けられたペダル規制部１３である一対の取付孔１５よりも後部に位置する箇所の上面部２ａに当接し、一対の取付孔１５をカバーケース５の外部に露出させるように構成されている。
【００３５】
次に、このようなペダル装置を組み立てる場合について説明する。
この場合には、まず、図３に示すように、ペダルケース１の本体ケース４に設けられたばね支持部８上にばね部材７を配置すると共に、このばね支持部８とペダル支持部６との間に位置する箇所の本体ケース４上にペダルスイッチ部１１を配置する。さらに、本体ケース４のストッパ支持部１０上に、フェルトなどの下限ストッパ９を取り付ける。
【００３６】
このとき、ペダルスイッチ部１１は、スイッチ基板１１ａ上にドーム状のゴム部材１１ｂを配置し、この状態でスイッチ基板１１ａを支持部材１２によって本体ケース４に取り付けることにより、本体ケース４上に配置される。この状態では、図３に示すように、ペダル支持部６上に設けられた固定ボス部２０の上面とドーム状のゴム部材１１ｂの上面とがほぼ同じ高さになり、ばね部材７は自由状態に伸び、この伸びた上部が固定ボス部２０およびペダルスイッチ部１１のゴム部材１１ｂよりも上方に位置している。
【００３７】
この後、本体ケース４のペダル支持部６上に取付部材３の固定部１７を取り付ける。このときには、取付部材３のペダル取付部１８を本体ケース４に設けられたペダルスイッチ部１１の上方に対応させて配置した状態で、取付部材３の固定部１７における嵌合固定部２１をペダル支持部６上の固定ボス部２０に嵌合させると共に、固定部１７の複数の位置決め固定部２３である各孔部にペダル支持部６上の複数の本体規制部２２をそれぞれ嵌合させて位置決めする。
【００３８】
この状態では、固定部１７の嵌合固定部２１のビス挿入孔２１ａにペダル支持部６上の固定ボス部２０が下側から対応し、この対応した固定ボス部２０のねじ孔２０ａにビス２４を螺入させて締め付ける。これにより、ビス２４の頭部２４ａが嵌合固定部２１を固定ボス部２０上に押え付けることにより、固定部１７が本体ケース４のペダル支持部６上に固定される。
【００３９】
そして、ペダル本体２を取付部材３のペダル取付部１８に取り付けて本体ケース４の上方に配置させる。このときには、本体ケース４のばね支持部８上に配置されたばね部材７の上部をペダル本体２のばね規制部１４に対応させ、この状態でばね規制部１４の挿入部１４ａをばね部材７の上部に挿入させてばね規制部１４の当接部１４ｂを当接させる。これにより、ばね部材７が本体ケース４とペダル本体２との間に位置規制される。
【００４０】
この状態で、ペダル本体２をばね部材７のばね力に抗して押し下げて、ペダル本体２のペダル規制部１３を取付部材３のペダル取付部１８に配置させる。このときには、取付部材３のペダル取付部１８に設けられた位置決め取付部２５の一対の取付ボス部２６をそれぞれペダル本体２のペダル規制部１３である一対の取付孔１５にそれぞれ下側から挿入させて、ペダル本体２を取付部材３に対して位置決めする。
【００４１】
この後、カバーケース５を本体ケース４上に取り付ける。このときには、カバーケース５で本体ケース４の後部、取付部財３、およびペダル本体２の後部を覆って、カバーケース５の上限ストッパ部５ａをペダル本体２のペダル規制部１３である一対の取付孔１５よりも後部に位置する上面部２ａに当接させる。
【００４２】
この状態で、カバーケース５をばね部材７のばね力に抗して押し下げ、この押し下げたカバーケース５を本体ケース４上に取り付ける。これにより、ペダル本体２は、図２に示すように、カバーケース５の上限ストッパ部５ａによって、ほぼ水平な状態で本体ケース４の上方に配置されると共に、取付部材３のペダル取付部１８がペダル本体２の下面に押し付けられる。
【００４３】
このときには、カバーケース５の前方にペダル本体２の一対の取付孔１５が位置し、この一対の取付孔１５内に挿入されたペダル取付部１８の一対の取付ボス部２６が上側に露出している。このため、この露出した一対の取付ボス部２６の各ねじ孔２６ａに、ビス２４を上方から螺入させて締め付ける。すると、ビス２４の頭部２４ａがペダル本体２の取付孔１５の縁部をペダル取付部１８上に押え付けるので、ペダル本体２が取付部材３のペダル取付部１８に固定される。これにより、ペダル装置が組み立てられる。
【００４４】
なお、このペダル装置の組立手順は、上述した手順に限られるものではなく、例えば取付部材３のペダル取付部１８にペダル本体２を取り付け、このペダル本体２が取り付けられた取付部材３の固定部１７をペダルケース１の本体ケース４のペダル支持部６上に取り付けて固定するようにしても良い。
【００４５】
次に、このようなペダル装置の作用について説明する。
このペダル装置は、図２に示すように、通常状態のときに、ペダル本体２がばね部材７のばね力によって押し上げられて、ペダル本体２の後部がカバーケース５の上限ストッパ部５ａに当接していることにより、ペダル本体２がほぼ水平な状態で本体ケース４上に配置されている。
【００４６】
この状態では、取付部材３のペダル取付部１８の下面に設けられたスイッチ押圧部２７が本体ケース４上に配置されたペダルスイッチ部１１のゴム部材１１ｂの上方に接近して配置されていると共に、ペダル本体２の前端部が本体ケース４のストッパ支持部１０上に設けられた下限ストッパ９から上方に離れている。
【００４７】
このような状態で、ペダル本体２を足で踏み込んで、ペダル本体２をばね部材７のばね力に抗して押し下げる。すると、ペダル本体２のペダル規制部１３に取り付けられた取付部材３のペダル取付部１８が押し下げられると共に、この取付部材３の屈曲部１９が屈曲し、これによりペダル本体２が前下りに傾斜した状態で押し下げられる。
【００４８】
このようにペダル本体２が傾斜して押し下げられるときには、取付部材３の屈曲部１９におけるほぼ垂直な部分がほとんど上下方向に変位することがなく、ほぼ垂直な部分の上部が前側に向けて少し傾く。このため、屈曲部１９を回転中心として、取付部材３のペダル取付部１８が前下がりに傾き、その下面に設けられたスイッチ押圧部２７の傾斜した下面がペダルスイッチ部１１のゴム部材１１ｂの上面をほぼ水平に押し下げる。
【００４９】
これにより、ペダルスイッチ部１１におけるドーム状のゴム部材１１ｂが潰れるように弾性変形する。このときには、ドーム状のゴム部材１１ｂ内に設けられた可動接点がスイッチ基板１１ａ上に設けられた固定接点に接触してスイッチ信号を出力する。そして、ペダル本体２に対する踏み込み操作を解除すると、ペダル本体２がばね部材７のばね力によって押し上げられて初期位置に戻る。
【００５０】
このときには、取付部材３のペダル取付部１８がペダル本体２と共に押し上げられるので、取付部材３の屈曲部１９におけるほぼ垂直な部分の上部が後側に向けてほぼ垂直になるように傾く。このため、このときにも、屈曲部１９を回転中心として、取付部材３のペダル取付部１８が前上がりに傾きながら引き上げられ、その下面に設けられたスイッチ押圧部２７の傾斜した下面がペダルスイッチ部１１のゴム部材１１ｂの上方に引き上げられ、ペダルスイッチ部１１がオフ状態になる。
【００５１】
このように、このペダル装置によれば、ペダルケース１の本体ケース４にペダル本体２を上下方向に回転可能に取り付ける取付部材３が、ペダルケース１の本体ケース４に固定される固定部１７と、ペダル本体２が取り付けられるペダル取付部１８と、このペダル取付部１８を固定部１７に上下方向に回転可能に連結する屈曲部１９とを備え、これらが一体に形成されていることにより、ペダルケース１に対するペダル本体２の組立作業性が良く、ペダルケース１に対してペダル本体２を円滑に且つ良好に回転動作させることができる。
【００５２】
すなわち、このペダル装置では、ペダルケース１にペダル本体２を取付部材３によって取り付ける際に、その組み立て手順が制約を受けずに、ペダルケース１にペダル本体２を簡単に且つ容易に取り付けることができると共に、取付部材３の屈曲部１９によってペダル本体２をペダルケース１に対してガタツクことなく良好に回転可能な状態で取り付けることができる。このため、ペダルケース１に対するペダル本体２の組立作業性が良く、ペダルケース１に対してペダル本体２を円滑に且つ良好に回転動作させることができる。
【００５３】
この場合、取付部材３の屈曲部１９は、肉厚が薄く形成されたほぼ垂直な部分を有し、このほぼ垂直な部分の下部が固定部１７に連結形成され、このほぼ垂直な部分の上部がペダル取付部１８に連結形成されていることにより、ほぼ垂直な部分が上下方向にほとんど変位することがなく、ほぼ垂直な部分をペダル本体２の前後方向に向けて傾くように変位させることができ、これによりペダル取付部１８を固定部１７に対してガタツクことなく上下方向に円滑に回転させることができる。
【００５４】
また、この取付部材３の固定部１７は、ペダルケース１の本体ケース４に設けられた固定ボス部２０が嵌合して固定される嵌合固定部２１と、ペダルケース１の本体ケース４に設けられた本体規制部２２に位置決めされる位置決め固定部２３とを備えていることにより、取付部材３の固定部１７をペダルケース１の本体ケース４に正確に位置決めして確実に且つ強固に取り付けることができる。
【００５５】
すなわち、取付部材３の固定部１７は、これをペダルケース１の本体ケース４に取り付ける際に、固定部１７の位置決め固定部２３を本体ケース４の本体規制部２２に対応させて位置決めすることにより、固定部１７を本体ケース４に対して正確に且つ確実に位置決めすることができると共に、取付部材３の嵌合固定部２１に本体ケース４の固定ボス部２０を嵌合させて固定することにより、固定部１７を本体ケース４に対して確実に且つ強固に固定することができる。
【００５６】
この場合、本体ケース４の固定ボス部２０は、円筒状に起立して形成され、その内部にねじ孔２０ａが上方に開放されて形成されており、固定部１７の嵌合固定部２１は、固定ボス部２１よりも大径の円筒状に形成され、その上端部にビス挿入孔２１ａが設けられていることにより、固定部１７を本体ケース４に対して確実に且つ強固に固定することができる。
【００５７】
すなわち、固定ボス部２０を嵌合固定部２１内に下側から挿入させ、この挿入した固定ボス部２０の上端部を、嵌合固定部２１のビス挿入孔２１ａに対応させた状態で、嵌合固定部２１の内面に当接させることにより、確実に固定部１７を本体ケース４に対して配置することができ、この状態で固定ボス部２０のねじ孔２０ａにその上方からビス２４を螺入させて締め付けることにより、嵌合固定部２１を固定ボス部２０に押え付けて、固定部１７を本体ケース４に確実に且つ強固に固定することができる。
【００５８】
また、固定部１７の位置決め固定部２３は、嵌合固定部２１の周囲に設けられた複数の孔部であり、本体ケース４の複数の本体規制部２２は、位置決め固定部２３に挿入する複数のピン形状に形成されていることにより、複数の本体規制部２２が固定部１７の位置決め固定部２３に下側からそれぞれ嵌合することにより、固定部１７を本体ケース４上に正確に位置決めすることができると共に、固定部１７を本体ケース４上に確実に且つ強固に固定することができる。
【００５９】
また、このペダル装置では、取付部材３のペダル取付部１８が、ペダル本体２に設けられたペダル規制部１３に位置規制されて取り付けられる位置決め取付部２５を備えているので、取付部材３のペダル取付部１８にペダル本体２を簡単に且つ確実に取り付けることができる。この場合、ペダル本体２のペダル規制部１３は一対の取付孔１５であり、ペダル取付部１８の位置決め取付部２５は、ペダル取付部１８の上下に突出して形成された一対の取付ボス部２６であることにより、ペダル取付部１８にペダル本体２を簡単に且つ確実に取り付けることができる。
【００６０】
すなわち、ペダル取付部１８にペダル本体２を取り付ける際には、ペダル本体２のペダル規制部１３である一対の取付孔１５に、ペダル取付部１８の位置決め取付部２５である一対の取付ボス部２６をそれぞれ下側から挿入させることにより、ペダル本体２をペダル取付部１８に位置決めすることができ、この状態でビス２４を取付ボス部２６のねじ孔２６ａに上方から螺入させて締め付けることにより、ペダル本体２を取付部材３のペダル取付部１８に押え付けて確実に且つ強固に固定することができる。
【００６１】
さらに、このペダル装置では、取付部材３のペダル取付部１８に対応する箇所に位置するペダルケース１の本体ケース４にペダルスイッチ部１１が設けられており、ペダル取付部１８には、ペダルスイッチ部１１をスイッチ動作させるためのスイッチ押圧部２７が一体に形成されていることより、ペダル本体２を踏み込み操作によって押し下げた際に、ペダル取付部１８のスイッチ押圧部２７によって本体ケース４のペダルスイッチ部１１を確実に且つ良好にスイッチ動作させることができる。
【００６２】
この場合、スイッチ押圧部２７を取付部材３のペダル取付部１８に一体に形成していることにより、ペダル本体２にペダルスイッチ部１１を押圧すためのスイッチ押圧部２７を設ける必要がない。このため、ペダル本体２の構造および形状を単純化することができ、ペダル本体２を簡単に且つ容易に製作することができる。
【００６３】
なお、上述した実施形態１では、各ペダル本体２をそれぞれ取付部材３によってペダルケース１の本体ケース４に個別に取り付けるように構成した場合について述べたが、これに限らず、例えば図６に示す変形例のように、複数のペダル本体２を１つの取付部材３０によって本体ケース４に取り付けるように構成しても良い。
【００６４】
すなわち、この取付部材３０は、本体ケース４のペダル支持部６上に固定される固定部３１をペダル本体２の配列方向に連続させて形成し、この固定部３１に複数のペダル本体２がそれぞれ取り付けられるペダル取付部１８をそれぞれ屈曲部１９によって連結させた状態で一体に形成した構成になっている。
【００６５】
このように構成すれば、上述した実施形態１と同様の作用効果があるほか、部品点数を削減することができると共に、取付部材３０を本体ケース４に取り付けるときに、複数のペダル本体２がそれぞれ取り付けられる複数のペダル取付部１８を本体ケース４に対して一度に組み付けることができるので、本体ケース４に対する取付部材３０の取付作業を簡素化することができ、生産性の向上を図ることができる。
【００６６】
（実施形態２）
次に、図７〜図１１を参照して、この発明を電子鍵盤楽器に適用した実施形態２について説明する。なお、図１〜図５に示された実施形態１と同一部分には同一符号を付して説明する。
この電子鍵盤楽器は、図７および図８に示すように、楽器本体４０を備えている。この楽器本体４０は、上部ケース４１と下部ケース４２とで構成され、その内部に鍵盤部４４が設けられた構成になっている。
【００６７】
この鍵盤部４４は、図７〜図９に示すように、白鍵本体と黒鍵本体とからなる複数の鍵本体４５（ただし、この実施形態２では白鍵本体のみについて説明する。）を有し、この複数の鍵本体４５が並列に配列された状態で、それぞれ上下方向に回転するように構成されている。
【００６８】
この場合、上部ケース４１は、図７に示すように、鍵盤部４４の後部（図７では上辺部側）の上方に位置する箇所から鍵盤部４４の更に後方に位置する箇所に亘る部分、および鍵本体４５の配列方向における鍵盤部４４の両側に位置する部分において、下部ケース４２上に設けられている。これにより、鍵盤部４４は、上部ケース４１で覆われることなく、上部ケース４１の上方に露出するように構成されている。
【００６９】
この上部ケース４１には、図７に示すように、スピーカ部４６、表示部４７、および操作スイッチ部４８が設けられている。スピーカ部４６は、楽音などの音を発生するためのものであり、図７に示すように、上部ケース４１の上面における左上側に位置する箇所に設けられている。表示部４７は、上部ケース４１の上面におけるスピーカ部４６の右側に位置する箇所に設けられている。
【００７０】
この表示部４７は、液晶表示パネルやＥＬ（エレクトロ・ルミネッセンス）表示パネルなどの平面型の表示パネルからなり、鍵盤楽器に必要な各種の情報を電気光学的に表示するように構成されている。操作スイッチ部４８は、電源スイッチ、音量スイッチ、音色スイッチなどの各種のスイッチを備え、図７に示すように、上部ケース４１の上面に分散して設けられている。
【００７１】
ところで、鍵盤部４４の各鍵本体４５は、図８および図９に示すように、取付部材５０によって下部ケース４２上に並列に配列されるように構成されている。この場合、下部ケース４２の後端部（図８では左端部）には、図８に示すように、鍵支持部５１が上方に突出した状態で鍵本体４５の配列方向、つまり鍵本体４５の前後方向（長手方向）と直交する方向に沿って連続して設けられている。
【００７２】
この鍵支持部５１の前側（図８では右側）に位置する箇所の下部ケース４２上には、図８および図９に示すように、鍵スイッチ部５２が配置されている。この鍵スイッチ部５２は、実施形態１と同様、鍵本体４５の配列方向に沿って連続するスイッチ基板１１ａと、このスイッチ基板１１ａ上に設けられて各鍵本体４５にそれぞれ対応するドーム状の複数のゴム部材１１ｂとを備えている。
【００７３】
すなわち、スイッチ基板１１ａは、図８に示すように、下部ケース４２に設けられた基板支持部５３上に配置された状態でビス５３ａによって取り付けられている。ドーム状のゴム部材１１ｂは、上方から押された際に、潰れるように弾性変形し、その内部に設けられた可動接点１１ｃがスイッチ基板１１ａ上に設けられた固定接点１１ｄに接離可能に接触してスイッチ信号を出力するように構成されている。
【００７４】
また、複数の鍵本体４５の各前端部（図８では右端部）には、ストッパ部５４がそれぞれ設けられている。このストッパ部５４が設けられた鍵本体４５の前端部は、下部ケース４２の前部に設けられた立上り部５５の開口部５５ａ内に挿入されて前側に突出し、この突出した部分のストッパ部５４が下部ケース４２の前端部５６の下面に設けられたフェルトなどの位置規制部５７に下側から当接することにより、鍵本体４５を初期位置である上限位置に規制するように構成されている。
【００７５】
この複数の鍵本体４５の後端部には、図８〜図１０に示すように、鍵規制部５８が設けられている。この鍵規制部５８は、鍵本体４５の配列方向、つまり鍵本体４５の前後方向（長手方向）と直交する方向に沿って設けられた一対の取付孔１５である。この一対の取付孔１５は、鍵本体４５の後部（図９では左端部）の上面部４５ａに、その上下に貫通して設けられている。また、この一対の取付孔１５は、下部ケース４２上に配置された鍵スイッチ部５１の前部側（図９では右側部）に対応して設けられている。
【００７６】
一方、取付部材５０は、図８および図９に示すように、楽器本体４０の下部ケース４２に固定される固定部６０と、複数の鍵本体４５がそれぞれ取り付けられる複数の鍵取付部６１と、この複数の鍵取付部６１を固定部６０にそれぞれ上下方向に回転可能に連結する複数の屈曲部６２とを備え、これらが一体に形成された構成になっている。
【００７７】
固定部６０は、図８〜図１１に示すように、鍵本体４５の配列方向に連続する帯板形状に形成されて、下部ケース４２の鍵支持部５１上に配置されるように構成されている。この固定部６０は、鍵支持部５１に設けられた固定ボス部６３が嵌合して固定される嵌合固定部６４と、下部ケース４２の鍵支持部５１上に設けられた複数の本体規制部６５によってそれぞれ位置決めされる複数の位置決め固定部６６とを備えている。
【００７８】
この場合、下部ケース４２の固定ボス部６３は、図８〜図１０に示すように、下部ケース４２の鍵支持部５１上に円筒状に起立して形成され、その中心部にねじ孔６３ａが上方に開放されて設けられている。また、下部ケース４２の複数の本体規制部６５は、それぞれピン形状に形成され、固定ボス部６３の周囲の近傍に位置する箇所の鍵支持部５１上にそれぞれ起立して設けられている。
【００７９】
取付部材５０における固定部６０の嵌合固定部６４は、図８〜図１０に示すように、下部ケース４２の固定ボス部６３よりも大径の円筒状に形成され、その上端部に固定ボス部６３の上端部が対応するビス挿入孔６４ａが形成された構成になっている。この場合、嵌合固定部６４は、その内面の高さが固定ボス部６３とほぼ同じ高さに形成され、固定ボス部６３の上端部がビス挿入孔６４ａに対応した状態で、嵌合固定部６４の上端面に固定ボス部６３の上端面が当接するように構成されている。
【００８０】
これにより、取付部材５０における固定部６０の嵌合固定部６４は、図８および図９に示すように、固定ボス部６３の上端部がビス挿入孔６４ａに対応した状態で、その上方からビス２４を固定ボス部６３のねじ孔６３ａに螺入させて締め付けると、ビス２４の頭部２４ａが嵌合固定部６４の上面を固定ボス部６３上に押え付けることにより、固定部６０を下部ケース４２の鍵支持部５１上に固定するように構成されている。
【００８１】
また、取付部材５０における固定部６０の複数の位置決め固定部６６は、図９〜図１１に示すように、嵌合固定部６４の周囲に位置する固定部６０にそれぞれ設けられた複数の孔部であり、下部ケース４２の鍵支持部５１上に設けられた複数の本体規制部６５が下側からそれぞれ嵌合することにより、固定部６０を下部ケース４２の鍵支持部５１上に位置決めして固定するように構成されている。
【００８２】
一方、取付部材５０の鍵取付部６１は、図８〜図１０に示すように、鍵本体４５に設けられた鍵規制部５８に位置規制されて取り付けられる位置決め取付部６７を備えている。この位置決め取付部６７は、鍵本体４５の配列方向に沿って設けられた一対の取付ボス部６８であり、鍵本体４５の後部（図８では左側部）に設けられた鍵規制部５８である一対の取付孔１５内にそれぞれ下側から挿入するように構成されている。
【００８３】
すなわち、この一対の取付ボス部６８は、図８および図９に示すように、鍵取付部６１の前部（図８では右側部）にそれぞれ形成された円筒部であり、鍵取付部６１の下面と上面とにそれぞれ連続した状態で上下に突出して形成され、上面から突出した上部が鍵本体４５の一対の取付孔１５内にそれぞれ挿入するように構成されている。
【００８４】
この場合、一対の取付ボス部６８における鍵取付部６１の上面から突出した各上部は、図８および図９に示すように、鍵本体４５の後端部に設けられた一対の取付孔１５内に挿入する部分であり、その高さが鍵本体４５の取付孔１５の深さ、つまり鍵本体４５の上面部４５ａの厚みと同じに形成されている。
【００８５】
また、この一対の取付ボス部６８には、図９に示すように、ねじ孔６８ａがそれぞれ上下に貫通して設けられている。これにより、一対の取付ボス部６８は、図８〜図１０に示すように、上面から突出した上部が鍵本体４５の取付孔１５内にそれぞれ下側から挿入した状態で、その上方からねじ孔６８ａにビス２４を螺入させて締め付けると、ビス２４の頭部２４ａが鍵本体４５の取付孔１５の縁部を鍵取付部６１上に押え付けることにより、鍵本体４５を取付部材５０の鍵取付部６１に固定するように構成されている。
【００８６】
また、取付部材５０の鍵取付部６１には、図８および図９に示すように、下部ケース４２に設けられた鍵スイッチ部５１をスイッチ動作させるためのスイッチ押圧部６９が一体に形成されている。このスイッチ押圧部６９は、鍵取付部６１の下面に一対の取付ボス部６８と共に十字形状に形成されている。このスイッチ押圧部６９の下面は、少し前上がりに傾斜して形成されている。
【００８７】
これにより、スイッチ押圧部６９は、図８および図９に示すように、上方から押圧された際に、スイッチ押圧部６９の下面が、下部ケース４２に設けられた鍵スイッチ部５１のゴム部材１１ｂの上面に、ほぼ平行な状態で当接して、ドーム状のゴム部材１１ｂを潰れるように弾性変形させる構成になっている。
【００８８】
一方、取付部材５０の固定部６０と鍵取付部６１とを連結する屈曲部６２は、図８および図９に示すように、肉厚が薄く形成されていることにより、屈曲する構成になっている。すなわち、この屈曲部６２は、取付部材５０の固定部６０の前端部（図９では右端部）から前方の下部側に向けて湾曲し、この湾曲した先端部が上方に向けてほぼ垂直に延び、このほぼ垂直に延びた上端部が前側に向けて湾曲して鍵取付部６１の後端部（図９では右端部）に連結された構成になっている。このため、取付部材５０は、その固定部６０の下面と鍵取付部６１のスイッチ押圧部６９の下面とがほぼ同じ高さに形成されている。
【００８９】
これにより、屈曲部６２は、鍵本体４５の前部が上方から押された際に、上下方向にほとんど変位することがなく、ほぼ垂直に延びた部分が前側に向けて傾くように屈曲変形することにより、鍵取付部６１を前下がりに傾け、これに伴って鍵本体４５を前下がりに傾けるように構成されている。すなわち、この屈曲部６２は、そのほぼ垂直な部分の下部が固定部６０に連結され、且つその上部が鍵取付部６１に連結されていることにより、ほぼ垂直な部分が上下方向にほとんど変位せず、前後方向（図８では左右方向）に向けて傾くように変位する構成になっている。
【００９０】
なお、上部ケース４１は、図８に示すように、その前端部が鍵本体４５の後部および取付部材５０を覆って下部ケース４２に取り付けられる際に、鍵本体４５の後部に設けられた鍵規制部５８である一対の取付孔１５よりも後部に位置する箇所の上面部４５ａに当接し、一対の取付孔１５を上部ケース４１の外部に露出させるように構成されている。
【００９１】
次に、このような電子鍵盤楽器を組み立てる場合について説明する。
この場合には、まず、図９に示すように、楽器本体４０の下部ケース４２に設けられた支持部材５３上に鍵スイッチ部５２を配置すると共に、下部ケース４２の前端部５６の下面にフェルトなどの位置規制部５７を取り付ける。
【００９２】
このときには、鍵スイッチ部５２のスイッチ基板１１ａ上にドーム状のゴム部材１１ｂを配置し、この状態でスイッチ基板１１ａを下部ケース４２の支持部材５３上にビス５３ａによって取り付ける。この状態では、図９に示すように、鍵支持部５１の上面とドーム状のゴム部材１１ｂの上面とがほぼ同じ高さになる。
【００９３】
この後、下部ケース４２の鍵支持部５１上に取付部材５０の固定部６０を取り付ける。このときには、取付部材５０の各鍵取付部６１を下部ケース４２に設けられた鍵スイッチ部５２における各ドーム状のゴム部材１１ｂの上方に対応させて配置する。この状態で、取付部材５０の固定部６０における各嵌合固定部６４に、鍵支持部５１上の各固定ボス部６３を嵌合させると共に、固定部６０の複数の位置決め固定部６６に、鍵支持部５１上の複数の本体規制部６５をそれぞれ嵌合させて位置決めする。
【００９４】
すると、固定部６０の嵌合固定部６４のビス挿入孔６４ａに鍵支持部５１上の固定ボス部６３が下側から対応する。そして、この対応した固定ボス部６３のねじ孔６３ａにビス２４を螺入させて締め付ける。これにより、ビス２４の頭部２４ａが嵌合固定部６４の上面を固定ボス部６３上に押え付けることにより、下部ケース４２の鍵支持部５１上に嵌合固定部６４が固定される。
【００９５】
この状態で、各鍵本体４５を取付部材５０の各鍵取付部６１にそれぞれ取り付けて下部ケース４２の上方に配置させる。このときには、取付部材５０の各鍵取付部６１に設けられた位置決め取付部６７の一対の取付ボス部６８をそれぞれ鍵本体４５の鍵規制部５８である一対の取付孔１５にそれぞれ下側から挿入させて、鍵本体４５を取付部材５０に対して位置決めする。
【００９６】
そして、上部ケース４１を下部ケース４２上に取り付ける。このときには、上部ケース４１で下部ケース４２の後部、取付部財５０、および鍵本体４５の後部を覆った状態で、上部ケース４１の前端部を鍵本体４５の鍵規制部５８である一対の取付孔１５よりも後部（図８では左側部）に位置する上面部４５ａに対応させる。
【００９７】
この状態では、鍵本体４５の鍵規制部５８である一対の取付孔１５が上部ケース４１によって覆われることなく、上部ケース４１の外部に露出する。そして、この露出した鍵取付部６１における一対の取付ボス部６８の各ねじ孔６８ａに、ビス２４を上方から螺入させて締め付ける。これにより、ビス２４の頭部２４ａが鍵本体４５の取付孔１５の縁部を押え付けて、鍵本体４５を取付部材５０の鍵取付部６１に固定する。これにより、電子鍵盤楽器の鍵盤部４４が組み立てられる。
【００９８】
なお、この電子鍵盤楽器の鍵盤部４４における組立手順は、上述した手順に限られるものではなく、例えば取付部材５０の鍵取付部６１に鍵本体４５を取り付け、この鍵本体４５が取り付けられた取付部材５０の固定部６０を楽器本体４０の下部ケース４２の鍵支持部５１上に取り付けて固定するようにしても良い。
【００９９】
次に、このような電子鍵盤楽器の作用について説明する。
この電子鍵盤楽器は、通常状態のときに、図８に示すように、取付部材５０の鍵取付部６１の下面に設けられたスイッチ押圧部６９が鍵スイッチ部５２のゴム部材１１ｂの弾性復帰力によって押し上げられている。これにより、鍵本体４５の前端部に設けられたストッパ部５４が、下部ケース４２の前端部５６に設けられた位置規制部５７に下側から当接している。このため、鍵本体４５がほぼ水平な状態で下部ケース４２上に配置された初期状態に位置規制されている。
【０１００】
このような状態で、鍵本体４５を鍵スイッチ部５２のゴム部材１１ｂの弾性力に抗して押鍵操作すると、鍵本体４５の鍵規制部５８に取り付けられた取付部材５０の鍵取付部６１が押し下げられると共に、この取付部材５０の屈曲部６２が屈曲し、これにより鍵本体４５が前下りに傾斜した状態で押し下げられる。
【０１０１】
このように鍵本体４５が傾斜して押し下げられるときには、取付部材５０の屈曲部６２におけるほぼ垂直な部分がほとんど上下方向に変位することなく、ほぼ垂直な部分の上部が前側（図８では右側）に向けて少し傾く。このため、屈曲部６２を回転中心として、取付部材５０の鍵取付部６１が前下がりに傾き、その下面に設けられたスイッチ押圧部６９が鍵スイッチ部５２のゴム部材１１ｂの上面を押し下げる。
【０１０２】
これにより、鍵スイッチ部５２におけるドーム状のゴム部材１１ｂが潰れるように弾性変形する。このときには、ドーム状のゴム部材１１ｂ内に設けられた可動接点１１ｃがスイッチ基板１１ａ上に設けられた固定接点１１ｄに接触してスイッチ信号を出力する。そして、鍵本体４５に対する押鍵操作が解除されると、鍵本体４５のスイッチ押圧部６９がドーム状のゴム部材１１ｂの弾性復帰力によって押し上げられて初期位置に戻る。
【０１０３】
このときには、取付部材５０の鍵取付部６１が鍵本体４５と共に押し上げられるので、取付部材５０の屈曲部６２におけるほぼ垂直な部分の上部が後側に向けてほぼ垂直になるように傾く。このため、このときにも、屈曲部６２を回転中心として、取付部材５０の鍵取付部６１が前上がりに傾きながら引き上げられる。これにより、鍵取付部６１の下面に設けられたスイッチ押圧部６９の傾斜した下面が、鍵スイッチ部５２のゴム部材１１ｂの上方に引き上げられ、鍵スイッチ部５２がオフ状態になる。
【０１０４】
このように、この電子鍵盤楽器によれば、楽器本体４０の下部ケース４２に鍵本体４５を上下方向に回転可能に取り付ける取付部材５０が、楽器本体４０の下部ケース４２に固定される固定部６０と、鍵本体４５が取り付けられる鍵取付部６１と、この鍵取付部６１を固定部６０に上下方向に回転可能に連結する屈曲部６２とを備え、これらが一体に形成されていることにより、楽器本体４０に対する鍵本体４５の組立作業性が良く、楽器本体４０に対して鍵本体４５を円滑に且つ良好に回転動作させることができる。
【０１０５】
すなわち、この電子鍵盤楽器では、楽器本体４０の下部ケース４２に鍵本体４５を取付部材５０によって取り付ける際に、その組み立て手順が制約を受けずに、楽器本体４０の下部ケース４２に鍵本体４５を簡単に且つ容易に取り付けることができると共に、取付部材５０の屈曲部６２によって鍵本体４５を下部ケース４２に対してガタツクことなく良好に回転可能な状態で取り付けることができる。このため、楽器本体４０に対する鍵本体４５の組立作業性が良く、楽器本体４０に対して鍵本体４５を円滑に且つ良好に回転動作させることができる。
【０１０６】
この場合、取付部材５０の屈曲部６２は、肉厚が薄く形成されたほぼ垂直な部分を有し、このほぼ垂直な部分の下部が固定部６０に連結形成され、ほぼ垂直な部分の上部が鍵取付部６１に連結形成されていることにより、ほぼ垂直な部分が上下方向にほとんど変位することがなく、ほぼ垂直な部分を鍵本体４５の前後方向に向けて傾くように変位させることができ、これにより鍵取付部６１を固定部６０に対してガタツクことなく上下方向に円滑に回転させることができる。
【０１０７】
また、この取付部材５０の固定部６０は、楽器本体４０の下部ケース４２に設けられた固定ボス部６３が嵌合して固定される嵌合固定部６４と、楽器本体４０の下部ケース４２に設けられた本体規制部６５に位置決めされる位置決め固定部６６とを備えていることにより、取付部材５０の固定部６０を楽器本体４０の下部ケース４２に正確に位置決めして確実に且つ強固に取り付けることができる。
【０１０８】
すなわち、取付部材５０の固定部６０は、これを楽器本体４０の下部ケース４２に取り付ける際に、固定部６０の位置決め固定部６６を下部ケース４２の本体規制部６５に対応させて位置決めすることにより、固定部６０を下部ケース４２に対して正確に且つ確実に位置決めすることができると共に、取付部材５０の嵌合固定部６４に下部ケース４２の固定ボス部６３を嵌合させて固定することにより、固定部６０を下部ケース４２に対して確実に且つ強固に固定することができる。
【０１０９】
この場合、下部ケース４２の固定ボス部６３は、円筒状に起立して形成され、その内部にねじ孔６３ａが上方に開放されて形成されており、固定部６０の嵌合固定部６４は、固定ボス部６３よりも大径の円筒状に形成され、その上端部にビス挿入孔６４ａが設けられていることにより、固定部６０を下部ケース４２に対して確実に且つ強固に固定することができる。
【０１１０】
すなわち、固定ボス部６３を嵌合固定部６４内に下側から挿入させ、この挿入した固定ボス部６３の上端部を嵌合固定部６４のビス挿入孔６４ａに対応させることにより、確実に固定部６０を下部ケース４２に対して配置することができ、この状態で固定ボス部６３のねじ孔６３ａにその上方からビス２４を螺入させて締め付けることにより、嵌合固定部６４を固定ボス部６３に押え付けて、固定部６０を下部ケース４２に確実に且つ強固に固定することができる。
【０１１１】
また、固定部６０の位置決め固定部６６は、嵌合固定部６４の周囲に設けられた複数の孔部であり、下部ケース４２の複数の本体規制部６５は、位置決め固定部６６に挿入する複数のピン形状に形成されていることにより、複数の本体規制部６５が固定部６０の位置決め固定部６６に下側からそれぞれ嵌合することにより、固定部６０を下部ケース４２上に正確に位置決めすることができると共に、固定部６０を下部ケース４２上に確実に且つ強固に固定することができる。
【０１１２】
また、この電子鍵盤楽器では、取付部材５０の鍵取付部６１が鍵本体４５に設けられた鍵規制部５８に位置規制されて取り付けられる位置決め取付部６７を備えているので、取付部材５０の鍵取付部６１に鍵本体４５を簡単に且つ確実に取り付けることができる。この場合、鍵本体４５の鍵規制部５８は一対の取付孔１５であり、鍵取付部６１の位置決め取付部６７は、鍵取付部６１の上下に突出して形成された一対の取付ボス部６８であることにより、鍵取付部６１に鍵本体４５を簡単に且つ確実に取り付けることができる。
【０１１３】
すなわち、鍵取付部６１に鍵本体４５を取り付ける際には、鍵本体４５の鍵規制部５８である一対の取付孔１５に、鍵取付部６１の位置決め取付部６７である一対の取付ボス部６８をそれぞれ下側から挿入させることにより、鍵本体４５を鍵取付部６１に位置決めすることができ、この状態でビス２４を取付ボス部６８のねじ孔６８ａに上方から螺入させて締め付けることにより、鍵本体４５を取付部材５０の鍵取付部６１に押え付けて確実に且つ強固に固定することができる。
【０１１４】
また、この電子鍵盤楽器では、取付部材５０の鍵取付部６１に対応する箇所に位置する楽器本体４０の下部ケース４２に鍵スイッチ部５２が設けられており、鍵取付部６１には、鍵スイッチ部５２をスイッチ動作させるためのスイッチ押圧部６９が一体に形成されていることより、鍵本体４５を押圧操作によって押し下げた際に、鍵取付部６１のスイッチ押圧部６９によって下部ケース４２の鍵スイッチ部５１を確実に且つ良好にスイッチ動作させることができる。
【０１１５】
この場合、スイッチ押圧部６９を取付部材５０の鍵取付部６１に一体に形成していることにより、鍵本体４５に鍵スイッチ部５２を押圧すためのスイッチ押圧部６９を設ける必要がない。このため、鍵本体４５の構造および形状を単純化することができ、鍵本体４５を簡単に且つ容易に製作することができる。
【０１１６】
さらに、この電子鍵盤楽器では、鍵本体４５が楽器本体４０に対して並列に配列されており、固定部６０が鍵本体４５の配列方向に沿って連続して形成されており、この固定部６０には、楽器本体４０に対して並列に配列される複数の鍵本体４５にそれぞれ対応する複数の鍵取付部６１が、それぞれ屈曲部６２を介して一体に形成されているので、より一層、組立作業性を向上させることができる。
【０１１７】
すなわち、鍵本体４５の配列方向に沿って連続する固定部６０に、複数の鍵取付部６１がそれぞれ屈曲部６２を介して一体に形成されることにより、部品点数を削減することができると共に、取付部材５０を下部ケース４２に取り付けるときに、複数の鍵本体４５がそれぞれ取り付けられる複数の鍵取付部６１を下部ケース４２に対して一度に組み付けることができるので、下部ケース４２に対する取付部材５０の取付作業を簡素化することができ、より一層、生産性の向上を図ることができる。
【０１１８】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【０１１９】
（付記）
請求項１に記載の発明は、ペダルケースにペダル本体を取付部材によって上下方向に回転可能に取り付けたペダル装置であって、前記取付部材は、前記ペダルケースに固定される固定部と、前記ペダル本体が取り付けられるペダル取付部と、このペダル取付部を前記固定部に上下方向に回転可能に連結する屈曲部とを備え、これらが一体に形成されていることを特徴とするペダル装置である。
【０１２０】
請求項２に記載の発明は、請求項１に記載のペダル装置において、前記屈曲部は、肉厚が薄く形成されたほぼ垂直な部分を有し、このほぼ垂直な部分の下部が前記固定部に連結形成され、その上部が前記ペダル取付部に連結形成されていることを特徴とするペダル装置である。
【０１２１】
請求項３に記載の発明は、請求項１または請求項２に記載のペダル装置において、前記固定部は、前記ペダルケースに設けられた固定ボス部に嵌合して固定される嵌合固定部と、前記ペダルケースに設けられた本体規制部に位置決めされる位置決め固定部とを備えていることを特徴とするペダル装置である。
【０１２２】
請求項４に記載の発明は、請求項１〜請求項３のいずれかに記載のペダル装置において、前記ペダル取付部は、前記ペダル本体に設けられたペダル規制部に位置規制されて取り付けられる位置決め取付部を備えていることを特徴とするペダル装置である。
【０１２３】
請求項５に記載の発明は、請求項１〜請求項４のいずれかに記載のペダル装置において、前記取付部材の前記ペダル取付部に対応する箇所に位置する前記ペダルケースには、スイッチ部が設けられており、前記ペダル取付部には、前記スイッチ部をスイッチ動作させるためのスイッチ押圧部が一体に形成されていることを特徴とするペダル装置である。
【０１２４】
請求項６に記載の発明は、楽器本体に鍵本体を取付部材によって上下方向に回転可能に取り付けた鍵盤装置であって、前記取付部材は、前記楽器本体に固定される固定部と、前記鍵本体が取り付けられる鍵取付部と、この鍵取付部を前記固定部に上下方向に回転可能に連結する屈曲部とを備え、これらが一体に形成されていることを特徴とする鍵盤装置である。
【０１２５】
請求項７に記載の発明は、請求項６に記載の鍵盤装置において、前記屈曲部は、肉厚が薄く形成されたほぼ垂直な部分を有し、このほぼ垂直な部分の下部が前記固定部に連結形成され、その上部が前記鍵取付部に連結形成されていることを特徴とする鍵盤装置である。
【０１２６】
請求項８に記載の発明は、請求項６または請求項７に記載の鍵盤装置において、前記鍵本体は、前記楽器本体に対して並列に配列されており、前記固定部は、前記鍵本体の配列方向に沿って連続して形成され、且つ前記楽器本体に対して並列に配列された複数の前記鍵本体にそれぞれ対応する複数の前記鍵取付部がそれぞれ前記屈曲部を介して一体に形成されていることを特徴とする鍵盤装置である。
【符号の説明】
【０１２７】
１  ペダルケース
２  ペダル本体
３、３０、５０  取付部材
４  本体ケース
５  カバーケース
１１  ペダルスイッチ部
１３  ペダル規制部
１５  一対の取付孔
１７、６０  固定部
１８  ペダル取付部
１９、６２  屈曲部
２０、６３  固定ボス部
２０ａ、６３ａ  ねじ孔
２１、６４  嵌合固定部
２１ａ、６４ａ  ビス挿入孔
２２、６５  本体規制部
２３、６６  位置決め固定部
２４  ビス
２５、６７  位置決め取付部
２６、６８  取付ボス部
２６ａ、６８ａ  ねじ孔
２７、６９  スイッチ押圧部
４０  楽器本体
４１  上部ケース
４２  下部ケース
４４  鍵盤部
４５  鍵本体
５７  位置規制部
５８  鍵規制部
６１  鍵取付部
【図１】
0005861859.tif 000002
【図２】
0005861859.tif 000003
【図３】
0005861859.tif 000004
【図４】
0005861859.tif 000005
【図５】
0005861859.tif 000006
【図６】
0005861859.tif 000007
【図７】
0005861859.tif 000008
【図８】
0005861859.tif 000009
【図９】
0005861859.tif 000010
【図１０】
0005861859.tif 000011
【図１１】
0005861859.tif 000012